(57)【要約】【課題】            給気流に含まれる水の飛沫によるドレンの滴下を防ぐことができる常時換気に適した換気装置を得る。【解決手段】          給気通風路３と、排気通風路６と、給気通風路３に給気流を形成する送風機と、排気通風路６に排気流を形成する送風機とのケーシングを発泡樹脂による一体構造物８で構成し、背面に形成した室外吸込口１と室外吹出口５を、仕切壁１０で開口を二分割して形成し、給気通風路３と排気通風路６を流れる気流間で熱交換を行なわせる熱交換器とを備えた換気装置について、その仕切壁１０の下部に一体に給気通風路３において給気用の送風機のケーシング１３側に延びる皿状の水受部１４を設ける。【選択図】          図２
2006118781.tif 000002
【特許請求の範囲】
【請求項１】
建物の外部と室内とを室外吸込口と室内吹出口を通じて繋げる給気通風路と、同建物の室内と外部とを室内吸込口と室外吹出口を通じて繋げる排気通風路と、前記給気通風路に前記室外吸込口から室内吹出口へ向う給気流を形成する送風機と、前記排気通風路に前記室内吸込口から室外吹出口へ向う排気流を形成する送風機とのケーシングを発泡樹脂による一体構造物で構成し、背面に形成した前記室外吸込口と前記室外吹出口を、仕切壁で開口を二分割して形成し、前記給気通風路と排気通風路を流れる気流間で熱交換を行なわせる熱交換器とを備えた換気装置であって、前記仕切壁の下部に一体に給気通風路において給気用の送風機のケーシング側に延びる皿状の水受部を設けた換気装置。
【請求項２】
建物の外部と室内とを室外吸込口と室内吹出口を通じて繋げる給気通風路と、同建物の室内と外部とを室内吸込口と室外吹出口を通じて繋げる排気通風路と、前記給気通風路に前記室外吸込口から室内吹出口へ向う給気流を形成する送風機と、前記排気通風路に前記室内吸込口から室外吹出口へ向う排気流を形成する送風機とのケーシングを発泡樹脂による一体構造物で構成し、背面に形成した前記室外吸込口と前記室外吹出口を、仕切壁で開口を二分割して形成し、前記給気通風路と排気通風路を流れる気流間で熱交換を行なわせる熱交換器とを備えた換気装置であって、前記仕切壁を前記一体構造物に一体成形により設けるとともに、その自由端を、背面に取付けられる接続口部品の隔壁端に密接するように前記開口の口縁より僅かに背後に突き出させた換気装置。
【請求項３】
請求項２に記載の換気装置であって、仕切壁の下部に一体に給気通風路において給気用の送風機のケーシング側に延びる皿状の水受部を設けた換気装置。
【請求項４】
請求項１または請求項３のいずれかに記載の換気装置であって、水受部を給気用の送風機のケーシング側の吸込口の外径にわたる口縁に延ばした換気装置。
【発明の詳細な説明】
【技術分野】
【０００１】
本発明は、外気の取入れと室内の空気の排気を熱交換器によって熱交換しながら行なう換気装置に関するものである。
【背景技術】
【０００２】
外気の取入れと室内の空気の排気を熱交換器によって連続的に熱交換しながら行なう換気装置において、比較的小型なものでは、室外の空気の取入口と室内の空気の排気口をダクト接続口を介して二層管とも称される隔壁を持ったダクトで室外へ連絡させるようにしたものがある。また、熱交換器の流体通路に結露が生じるため、この結露を具合良く排水処理する工夫を講じたものもある。なお、この種の従来技術としては特許文献１や特許文献２に示されたものがある。
【０００３】
【特許文献１】特開平１０−２８１５２５号公報
【特許文献２】特開２０００−３５６３８１号公報
【発明の開示】
【発明が解決しようとする課題】
【０００４】
この種の換気装置において、隔壁を持ったダクトで室外へ連絡させるものでは、ダクト接続口の隔壁及びこれと接続する給気通風路と排気通風路を仕切る隔壁に断熱対策が必要であり、ダクト接続口の隔壁と通風路の隔壁の合わせ目の封止部材も必要で、コストが高くつくといった問題点がある。熱交換器の空気流を通す流体通路に発生する結露については、これを本体の下部に取付けた露受皿で受け止め、室内の床面の汚損を防いでいるのが特許文献２に示された換気装置である。しかし、給気流に含まれるミスト状の水の飛沫が凝集してダクト接続口付近の曲がった給気通風路部分にドレンが生じることもある。住宅の常時換気に供するものでは、霧雨時や霧発生時などの運転で給気通風路に随分多量のドレンが発生する。このドレンは、当該部の給気通風路に溜まって、構造体の隙間等から装置外に滴下するといった問題点がある。
【０００５】
本発明は、上記した課題を解決するためになされたものであり、その目的とするところは、断熱材や封止部材のいらない低コストな換気装置を得ることであり、給気流に含まれる水の飛沫によるドレンの滴下を防ぐことができる常時換気に適した換気装置を得ることである。
【課題を解決するための手段】
【０００６】
上記課題を解決するために本発明は、建物の外部と室内とを室外吸込口と室内吹出口を通じて繋げる給気通風路と、建物の室内と外部とを室内吸込口と室外吹出口を通じて繋げる排気通風路と、給気通風路に室外吸込口から室内吹出口へ向う給気流を形成する送風機と、排気通風路に室内吸込口から室外吹出口へ向う排気流を形成する送風機とのケーシングを発泡樹脂による一体構造物で構成し、背面に形成した室外吸込口と室外吹出口を、仕切壁で開口を二分割して形成し、給気通風路と排気通風路を流れる気流間で熱交換を行なわせる熱交換器とを備えた換気装置について、その仕切壁の下部に一体に給気通風路において給気用の送風機のケーシング側に延びる皿状の水受部を設ける手段を採用する。
【０００７】
また、他の発明はその仕切壁を一体構造物に一体成形により設けるとともに、その自由端を、背面に取付けられる接続口部品の隔壁端に密接するように開口の口縁より僅かに背後に突き出させる手段を採用する。
【発明の効果】
【０００８】
本発明によれば、給気通風路が給気用の送風機のケーシング側に曲がり、含まれるミスト状態の水の飛沫が凝縮し易い部分に送風機のケーシング側に延びる皿状の水受部を設けたため、この部分に生じるドレンは水受部に受容され外に零れ出すことがない。
【０００９】
また、他の発明によれば、開口を二分割する仕切壁が発泡樹脂よりなる一体構造物に一体成形されているため自体に断熱性があり、断熱材等が不要となりコストが低減する。そして、仕切壁の自由端を、背面に取付けられる接続口部品の隔壁端に直接密接するように開口の口縁より背後に突き出させたため、当該部に封止部材を用いなくても気密が保持でき、コストが低減する。
【発明を実施するための最良の形態】
【００１０】
本発明の換気装置は、建物の外部と室内とを室外吸込口と室内吹出口を通じて繋げる給気通風路と、建物の室内と外部とを室内吸込口と室外吹出口を通じて繋げる排気通風路と、給気通風路に室外吸込口から室内吹出口へ向う給気流を形成する送風機と、排気通風路に室内吸込口から室外吹出口へ向う排気流を形成する送風機とのケーシングを発泡樹脂による一体構造物で構成し、背面を塞ぐ背面板に形成した室外吸込口と室外吹出口を、仕切壁で開口を二分割して形成し、給気通風路と排気通風路を流れる気流間で熱交換を行なわせる熱交換器とを備えた換気装置について、その仕切壁を一体構造物に一体成形により突出して設け、その自由端を、背面板に取付けられる接続口部品の隔壁端に圧縮により密接するように開口の口縁より僅かに背後に突き出させる。一体構造物は、換気装置の前面を構成する化粧パネルを持つ容器状の本体箱体に収め込み、背面板で背面が塞がれる。
【００１１】
また、仕切壁の下部に一体に給気通風路において給気用の送風機のケーシング側に延びる皿状の水受部を設ける。水受部は、仕切壁にアングル状に基部側で繋がり、仕切壁の補強と共に、当該部に生じるドレンを受容する。
【００１２】
この換気装置では、開口を二分割する仕切壁が発泡樹脂よりなる一体構造物に一体成形されているため自体に断熱性があり、断熱材等が不要となりコストが低減する。そして、仕切壁の自由端を、背面に取付けられる接続口部品の隔壁端に圧縮して直接密接するように開口の口縁より背後に突き出させたため、当該部に封止部材を用いなくても気密が保持でき、コストが低減する。そして、給気通風路が給気用の送風機のケーシング側に曲がり、含まれるミスト状態の水の飛沫が凝縮し易い部分に送風機のケーシング側に延びる皿状の水受部を設けたため、この部分に生じるドレンは水受部に受容され外に零れ出すことがない。
【００１３】
実施の形態１．
図１は、本実施の形態の換気装置を示す縦断正面図、図２は、その一体成形物を単独で示す背面視からの斜視図、図３は、背面板の接続口部品と仕切壁の関係を示す拡大横断面図である。本実施の形態の換気装置は、図１に示すように、建物の外部と室内とを室外吸込口１と室内吹出口２を通じて繋げる給気通風路３と、建物の室内と外部とを室内吸込口４と室外吹出口５を通じて繋げる排気通風路６とが本体箱体７に収め込まれた発泡樹脂の一体構造物８に構成されている。本体箱体７は容器状に形成され、その前面は、実質的な室内吹出口２と室内吸込口４となる開口を持つ化粧パネルで構成されている。本体箱体７の背面は略中央下部に開口を有する背面板９で塞がれている。
【００１４】
給気通風路３の室外吸込口１と排気通風路６の室外吹出口５は、本体箱体７の背面に設けられた背面板９の略中央下部に開けられた開口を縦に仕切壁１０で二分割して形成されている。仕切壁１０は、一体構造物８に一体成形により背面側に突出して設けられ、その自由端は、背面板９の背面に取付けられる接続口部品１１の隔壁端面１２に圧縮して密接するように開口の口縁より僅かに背後に突き出している(図３参照)。この構造により、仕切壁１０自体に断熱性があるため断熱材等が不要となりコストが低減する。そして、仕切壁１０の自由端を、背面に取付けられる接続口部品１１の隔壁端面１２に圧縮して直接密接するように開口の口縁より背後に突き出させたため、当該部に封止部材を用いなくても気密が保持でき、組付け工数も減りコストが低減する。
【００１５】
仕切壁１０には、その下部に一体に給気通風路３において給気用の送風機のケーシング１３側にアングル状に延びる皿状の水受部１４が一体に設けられている。水受部１４は、給気用の送風機のケーシング１３側の吸込口１５の外径にわたる口縁にまで延ばされて設けられている。霧雨時や霧発生時などの運転では、室外吸込口１から多量のミスト状の水の飛沫が給気流に乗って入ってくる。この水の飛沫は、給気通風路３が略直角方向に曲がる部分で風路壁に衝突してドレンとなる。この部分に生じるドレンを水受部１４によって受容し、外部に漏らさない。送風機のケーシング１３側の吸込口１５に至る部分でも同様の現象が起き、ドレンが発生するが、その外径にわたる口縁にまで仕切壁１０が延ばされているため、ドレンは水受部１４に受容されることになる。また、水受部１４は仕切壁１０にアングル状をなして繋がっているため仕切壁１０を補強する機能も果たす。
【００１６】
室外吸込口１も室外吹出口５も、隔壁を持つ二層ダクトの接続によって、いずれも建物の外部に連絡できるようになっている。給気通風路３には室外吸込口１から室内吹出口２へ向う給気流を形成する送風機が、排気通風路６には室内吸込口４から室外吹出口５へ向う排気流を形成する送風機が組込まれている。給気通風路３と排気通風路６との一部は、それぞれ独立して交差する流体通路を持つ積層型の熱交換器１６の各流体通路によって構成され、熱交換器１６の各流体通路を流れる給排気流間で連続的な熱交換が行なわれる。
【００１７】
即ち、室内吸込口４から送風機によって吸込まれた室内の空気は、本体箱体７の前面側を横方向に流れ熱交換器１６の一方の流体通路を上下方向に通過し、本体箱体７の背面側下部に向い、室外吹出口５から室外へ排気される。一方、本体箱体７の背面下部の室外吸込口１から送風機によって吸込まれた室外の空気は、本体箱体７の背面側に構成された給気通風路３を経て熱交換器１６の他方の流体通路を横方向に通過し、前面の室内吹出口２から室内へ吹出され、経路の途中において熱交換器１６において給排気流間での熱交換が行なわれる。
【００１８】
熱交換器１６の給気流が流入する入口部には、給気流に混ざったミスト状の水の飛沫を捕水するエアーフィルター１７が、熱交換器１６の給気流が流入する入口部の給気通風路３を横断する状態に設けられている。エアーフィルター１７は、一義的には、給気流に含まれている塵埃を捕捉するが、水の飛沫も捕捉する。エアーフィルター１７としては、ポリエステルやモダアクリル等を主体として構成された耐水性のあるものが用いられている。
【００１９】
この換気装置によれば、霧雨時や霧発生時などの運転で給気通風路３に流れる給気流に多量の水の飛沫が含まれていても水受部１４と、熱交換器１６の給気流が流入する入口部分に設けたエアーフィルター１７に捕水される。そして溜まったドレンは、給気流に接触することで逐次蒸発され、室内に滴下するようなことはない。従って、常時換気用として好適な換気装置と言える。
【図面の簡単な説明】
【００２０】
【図１】換気装置の縦断正面図である。(実施の形態1）
【図２】一体成形物の背面視での斜視図である。(実施の形態1）
【図３】背面部分の拡大横断面図である。(実施の形態1）
【符号の説明】
【００２１】
１  室外吸込口、  ２  室内吹出口、  ３  給気通風路、  ４  室内吸込口、  ５  室外吹出口、  ６  排気通風路、  ８  一体構造物、  １０  仕切壁、  １１  接続口部品、  １２  隔壁端面、  １３  ケーシング、  １４  水受部、  １５  吸込口、  １６  熱交換器。
【図１】
2006118781.tif 000003
【図２】
2006118781.tif 000004
【図３】
2006118781.tif 000005